(57)【特許請求の範囲】
【請求項１】
異なる光学特性を有する２種類の画素が配置されている表示部と、
前記表示部の表示面側に対向配置され、前記表示部からの光線を所定の方向へ通過させるスリットを有する視差バリアと
を備え、
前記２種類の画素は、電極の延在方向が互いに異なることにより、互いに光学特性が異なり、
前記２種類の画素のそれぞれに４色のカラーフィルタが対応付けられ、
同一の色の前記カラーフィルタが対応付けられた前記２種類の画素が前記スリットに位置する
表示装置。
【請求項２】
前記表示部は、第一の方向に並ぶ複数の画素列を有し、
前記画素列には、互いに同じ色の前記カラーフィルタが対応付けられた複数の画素が、前記第一の方向と直交する第二の方向に並べて配置され、
前記複数の画素列の各々には、互いに光学特性が異なる前記２種類の画素が設けられ、
前記２種類の画素は、前記第二の方向に同じ順番で繰り返し並べて配置されている
請求項１に記載の表示装置。
【請求項３】
前記表示部には、互いに異なる色の前記カラーフィルタが対応付けられた４色の前記画素列が前記第一の方向に同じ順番で繰り返し並べて配置され、
前記視差バリアは、前記第一の方向に並ぶ複数の前記スリットを有し、
前記スリットは、前記第二の方向に２画素分の長さを有する複数の開口部が、前記第二の方向にｒ画素分（ｒは１または２）ずつずれながら前記第一の方向に並ぶことにより形成されている
請求項２に記載の表示装置。
【請求項４】
異なる光学特性を有する２種類の画素が配置されている表示部と、
前記表示部の表示面側に対向配置され、前記表示部からの光線を所定の方向へ通過させるスリットを有する視差バリアと
を備え、
前記２種類の画素は、電極の延在方向が互いに異なることにより、互いに光学特性が異なり、
前記２種類の画素のそれぞれに４色のカラーフィルタが対応付けられ、
所定の視点に供給される視差画像は、前記スリットを介して視認される複数の前記画素によって構成される画像を含み、
前記スリットを介して視認される、同じ色の前記カラーフィルタが対応付けられた前記画素どうしの光学特性は互いに等しい
表示装置。
【請求項５】
前記表示部は、第一の方向に並ぶ複数の画素列を有し、
前記複数の画素列の各々には、互いに異なる色の前記カラーフィルタが対応付けられた４個の画素が、前記第一の方向と直交する第二の方向に同じ順番で繰り返し並べて配置され、
前記複数の画素列は、前記４個の画素の位置を前記第二の方向にｋ画素分（ｋは１以上３以下の整数）ずつずらしながら前記第一の方向に並べて配置され、
前記複数の画素列の各々には、互いに光学特性が異なる前記２種類の画素が設けられ、
前記２種類の画素は、前記第二の方向に同じ順番で繰り返し並べて配置され、
前記視差バリアは、前記第一の方向に並ぶ複数の前記スリットを有し、
前記複数のスリットの各々は、前記第二の方向にストライプ状に延び、
前記スリットを介して視認される、同じ色の前記カラーフィルタが対応付けられた前記画素どうしの光学特性が互いに等しくなるように、隣り合う前記スリットどうしの間隔が設定されている
請求項４に記載の表示装置。
【請求項６】
異なる光学特性を有する２種類の画素が配置されている表示部と、
前記表示部の表示面側に対向配置され、前記表示部からの光線を所定の方向へ通過させるスリットを有する視差バリアと
を備え、
前記２種類の画素は、遮蔽物による明度の違いにより、互いに光学特性が異なり、
前記２種類の画素のそれぞれに４色のカラーフィルタが対応付けられ、
少なくとも第一の色の前記カラーフィルタが対応付けられた前記２種類の画素が前記スリットに位置する
表示装置。
【請求項７】
異なる光学特性を有する２種類の画素が配置されている表示部と、
前記表示部の表示面側に対向配置され、前記表示部からの光線を所定の方向へ通過させるスリットを有する視差バリアと
を備え、
前記２種類の画素は、遮蔽物による明度の違いにより、互いに光学特性が異なり、
前記２種類の画素のそれぞれに４色のカラーフィルタが対応付けられ、
所定の視点に供給される視差画像は、前記スリットを介して視認される複数の前記画素によって構成される画像を含み、
前記スリットを介して視認される、少なくとも第一の色の前記カラーフィルタが対応付けられた複数の前記画素には、前記２種類の画素が含まれている
表示装置。
【請求項８】
前記表示部は、第一の方向に並ぶ複数の画素列を有し、
前記画素列には、互いに同じ色の前記カラーフィルタが対応付けられた複数の画素が、前記第一の方向と直交する第二の方向に並べて配置され、
前記表示部には、互いに異なる色の前記カラーフィルタが対応付けられた４個の前記画素列が前記第一の方向に同じ順番で繰り返し並べて配置され、
前記視差バリアは、前記第一の方向に並ぶ複数の前記スリットを有し、
前記スリットは、前記第一の方向にｓ画素分（ｓは１以上の整数）の幅を有する複数の開口部が、前記第一の方向に１画素分ずつずれながら前記第二の方向に並ぶことにより形成され、
前記スリットを介して視認される、少なくとも第一の色の前記カラーフィルタが対応付けられた複数の前記画素に、前記２種類の画素が含まれるように、前記遮蔽物の位置が設定されている
請求項６または７に記載の表示装置。
【請求項９】
前記表示部は、第一の方向に並ぶ複数の画素列を有し、
前記複数の画素列の各々には、互いに異なる色の前記カラーフィルタが対応付けられた４個の画素が、前記第一の方向と直交する第二の方向に同じ順番で繰り返し並べて配置され、
前記複数の画素列は、前記４個の画素の位置を前記第二の方向にｋ画素分（ｋは１以上３以下の整数）ずつずらしながら前記第一の方向に並べて配置され、
前記複数の画素列の各々において、少なくとも前記第一の色の前記カラーフィルタが対応付けられた複数の前記画素には、互いに光学特性が異なる前記２種類の画素が含まれ、
前記視差バリアは、前記第一の方向に並ぶ複数の前記スリットを有し、
前記複数のスリットの各々は、前記第二の方向にストライプ状に延びる
請求項６または７に記載の表示装置。
【発明の詳細な説明】
【技術分野】
【０００１】
本技術は、表示装置に関する。詳しくは、異なる光学特性を有する画素が配置されている表示部を用いて３次元画像を提供する際に用いて好適な表示装置に関する。
【背景技術】
【０００２】
近年、映像を立体像的に視認できる３次元（３Ｄ）映像コンテンツが注目されている。３次元映像の鑑賞方式としては、視差を設けた左眼用映像と右眼用映像を鑑賞者に鑑賞させる両眼視差方式が普及しつつある。この両眼視差方式には、メガネを用いるメガネ方式とメガネを用いない裸眼方式の大きく２種類の方式が挙げられる。
【０００３】
裸眼方式には、レンチキュラースクリーン方式、パララックスバリア方式などがある。レンチキュラースクリーン方式は、かまぼこ型の細かなレンズ（レンチキュラーレンズ）を配列させることによって左眼用映像と右眼用映像の光路を分離する方式である。パララックスバリア方式は、縦のスリット（パララックスバリア）により左眼用映像と右眼用映像の光路を分離する方式である。
【０００４】
このように、裸眼３Ｄ表示の手法は、バリア方式、レンズ方式などが主流である。これらの方式の場合、表示装置の前にバリアやレンズなどが配置され、光の方向が制御され、２視差の３Ｄなら表示装置の画素が、右眼用と左眼用に振り分けられる。また、多視差なら、１視差・２視差・３視差・・・と視点位置に応じて、表示装置の画素が振り分けられる。
【０００５】
その際、ＲＧＢ色配列によっては、観察位置によって、見える画素の色が偏り、画が色づくことがある。そのような色づきを防止するために特許文献１では、色の偏りをなくして、３Ｄ画像における色付きを防止することが提案されている。
【０００６】
特許文献２では、画素開口率が高く、明るい表示が可能な広視野角の映像装置が提案されている。
【先行技術文献】
【特許文献】
【０００７】
【特許文献１】特開2007−183611号公報
【特許文献２】特開2009−237541号公報
【発明の概要】
【発明が解決しようとする課題】
【０００８】
特許文献１では、色の偏りをなくして、３Ｄ画像における色付きを防止することが提案されているが、特許文献１に記載の技術を、特許文献２に記載があるようなデュアルドメイン構造に適用した場合、スジ、クロストーク、モアレなどが発生する可能性がある。特許文献２に記載があるデュアルドメイン構造を有する表示装置は、画素内、画素間で視野角特性を補間しているので、画素間で特性が異なる。
【０００９】
このような画素内、画素間で視野角特性が補間されているような場合に、バリア方式やレンズ方式を適用し、３Ｄ画像を提供すると、スジやクロストーク、モアレが発生する可能性がある。また白色度調整や、セルギャップを確保するために設けられるスペーサの配置などにより、所定の画素に切り欠きがある場合、２種類以上の異なる大きさの画素がある場合などにも、視野角特性が生まれる可能性がある。
【００１０】
本技術は、このような状況に鑑みてなされたものであり、視野角特性が生まれないような立体表示や多視点に対応した表示が行えるようにするものである。
【課題を解決するための手段】
【００１１】
本技術の一側面の第１の表示装置は、異なる光学特性を有する画素が配置されている表示部と、前記表示部の表示面側に対向配置され、前記表示部からの光線を所定の方向へ通過させる開口部とを備え、前記表示部の異なる光学特性の画素であり、同色の画素が前記開口部に位置する。具体的には、第１の表示装置は、異なる光学特性を有する２種類の画素が配置されている表示部と、前記表示部の表示面側に対向配置され、前記表示部からの光線を所定の方向へ通過させるスリットを有する視差バリアとを備え、前記２種類の画素は、電極の延在方向が互いに異なることにより、互いに光学特性が異なり、前記２種類の画素のそれぞれに４色のカラーフィルタが対応付けられ、同一の色の前記カラーフィルタが対応付けられた前記２種類の画素が前記スリットに位置する。
【００１２】
前記表示部の画素は、ディアルドメイン構造で配置され、対をなす異なる光学特性の同色の画素が、前記開口部に位置するようにすることができる。
第１の表示装置では、例えば、前記表示部は、第一の方向に並ぶ複数の画素列を有し、前記画素列には、互いに同じ色の前記カラーフィルタが対応付けられた複数の画素が、前記第一の方向と直交する第二の方向に並べて配置され、前記複数の画素列の各々には、互いに光学特性が異なる前記２種類の画素が設けられ、前記２種類の画素は、前記第二の方向に同じ順番で繰り返し並べて配置されている。第１の表示装置では、例えば、前記表示部には、互いに異なる色の前記カラーフィルタが対応付けられた４色の前記画素列が前記第一の方向に同じ順番で繰り返し並べて配置され、前記視差バリアは、前記第一の方向に並ぶ複数の前記スリットを有し、前記スリットは、前記第二の方向に２画素分の長さを有する複数の開口部が、前記第二の方向にｒ画素分（ｒは１または２）ずつずれながら前記第一の方向に並ぶことにより形成されている。
【００１３】
本技術の一側面の第２の表示装置は、異なる光学特性を有する画素が配置されている表示部と、前記表示部の表示面側に対向配置され、前記表示部からの光線を所定の方向へ通過させる開口部とを備え、所定の視点に供給される視差画像が、前記表示部の同一の光学特性の画素から構成されるような位置に前記開口部が設けられている。具体的には、第２の表示装置は、異なる光学特性を有する２種類の画素が配置されている表示部と、前記表示部の表示面側に対向配置され、前記表示部からの光線を所定の方向へ通過させるスリットを有する視差バリアとを備え、前記２種類の画素は、電極の延在方向が互いに異なることにより、互いに光学特性が異なり、前記２種類の画素のそれぞれに４色のカラーフィルタが対応付けられ、所定の視点に供給される視差画像は、前記スリットを介して視認される複数の前記画素によって構成される画像を含み、前記スリットを介して視認される、同じ色の前記カラーフィルタが対応付けられた前記画素どうしの光学特性は互いに等しい。第２の表示装置では、例えば、前記表示部は、第一の方向に並ぶ複数の画素列を有し、前記複数の画素列の各々には、互いに異なる色の前記カラーフィルタが対応付けられた４個の画素が、前記第一の方向と直交する第二の方向に同じ順番で繰り返し並べて配置され、前記複数の画素列は、前記４個の画素の位置を前記第二の方向にｋ画素分（ｋは１以上３以下の整数）ずつずらしながら前記第一の方向に並べて配置され、前記複数の画素列の各々には、互いに光学特性が異なる前記２種類の画素が設けられ、前記２種類の画素は、前記第二の方向に同じ順番で繰り返し並べて配置され、前記視差バリアは、前記第一の方向に並ぶ複数の前記スリットを有し、前記複数のスリットの各々は、前記第二の方向にストライプ状に延び、前記スリットを介して視認される、同じ色の前記カラーフィルタが対応付けられた前記画素どうしの光学特性が互いに等しくなるように、隣り合う前記スリットどうしの間隔が設定されている。
【００１４】
本技術の一側面の第３の表示装置は、異なる光学特性を有する画素が配置されている表示部と、前記表示部の表示面側に対向配置され、前記表示部からの光線を所定の方向へ通過させる開口部とを備え、前記表示部の異なる光学特性の画素であり、同色の画素が、前記開口部内で混在する。具体的には、第３の表示装置は、異なる光学特性を有する２種類の画素が配置されている表示部と、前記表示部の表示面側に対向配置され、前記表示部からの光線を所定の方向へ通過させるスリットを有する視差バリアとを備え、前記２種類の画素は、遮蔽物による明度の違いにより、互いに光学特性が異なり、前記２種類の画素のそれぞれに４色のカラーフィルタが対応付けられ、少なくとも第一の色の前記カラーフィルタが対応付けられた前記２種類の画素が前記スリットに位置する。
【００１５】
本技術の一側面の第４の表示装置は、異なる光学特性を有する画素が配置されている表示部と、前記表示部の表示面側に対向配置され、前記表示部からの光線を所定の方向へ通過させる開口部とを備え、前記表示部の異なる光学特性の画素であり、同色の画素が、前記開口部毎に均等に含まれる。本技術の他の側面の表示装置は、異なる光学特性を有する２種類の画素が配置されている表示部と、前記表示部の表示面側に対向配置され、前記表示部からの光線を所定の方向へ通過させるスリットを有する視差バリアとを備え、前記２種類の画素は、遮蔽物による明度の違いにより、互いに光学特性が異なり、前記２種類の画素のそれぞれに４色のカラーフィルタが対応付けられ、所定の視点に供給される視差画像は、前記スリットを介して視認される複数の前記画素によって構成される画像を含み、前記スリットを介して視認される、少なくとも第一の色の前記カラーフィルタが対応付けられた複数の前記画素には、前記２種類の画素が含まれている。
【００１６】
前記光学特性は、スペーサが存在するか否かに依存するようにすることができる。第３の表示装置および他の側面の表示装置では、例えば、前記表示部は、第一の方向に並ぶ複数の画素列を有し、前記画素列には、互いに同じ色の前記カラーフィルタが対応付けられた複数の画素が、前記第一の方向と直交する第二の方向に並べて配置され、前記表示部には、互いに異なる色の前記カラーフィルタが対応付けられた４個の前記画素列が前記第一の方向に同じ順番で繰り返し並べて配置され、前記視差バリアは、前記第一の方向に並ぶ複数の前記スリットを有し、前記スリットは、前記第一の方向にｓ画素分（ｓは１以上の整数）の幅を有する複数の開口部が、前記第一の方向に１画素分ずつずれながら前記第二の方向に並ぶことにより形成され、前記スリットを介して視認される、少なくとも第一の色の前記カラーフィルタが対応付けられた複数の前記画素に、前記２種類の画素が含まれるように、前記遮蔽物の位置が設定されている。第３の表示装置および他の側面の表示装置では、例えば、前記表示部は、第一の方向に並ぶ複数の画素列を有し、前記複数の画素列の各々には、互いに異なる色の前記カラーフィルタが対応付けられた４個の画素が、前記第一の方向と直交する第二の方向に同じ順番で繰り返し並べて配置され、前記複数の画素列は、前記４個の画素の位置を前記第二の方向にｋ画素分（ｋは１以上３以下の整数）ずつずらしながら前記第一の方向に並べて配置され、前記複数の画素列の各々において、少なくとも前記第一の色の前記カラーフィルタが対応付けられた複数の前記画素には、互いに光学特性が異なる前記２種類の画素が含まれ、前記視差バリアは、前記第一の方向に並ぶ複数の前記スリットを有し、前記複数のスリットの各々は、前記第二の方向にストライプ状に延びる。
【００１７】
本技術の一側面の表示装置においては、異なる光学特性を有する画素が配置されている表示部と、表示部の表示面側に対向配置され、表示部からの光線を所定の方向へ通過させる開口部とから少なくとも構成される。そして、表示部の異なる光学特性の画素であり、同色の画素が開口部に位置するように構成される。
【００１８】
または、表示部の異なる光学特性の画素であり、同色の画素が、開口部内で混在するように構成される。または、表示部の異なる光学特性の画素であり、同色の画素が、開口部毎に均等に含まれるように構成される。または、表示部の異なる光学特性の画素であり、同色の画素が、開口部毎に均等に含まれるように構成される。
【発明の効果】
【００１９】
本技術の一側面によれば、視野角特性が生まれないような立体表示や多視点に対応した表示が行える。
【図面の簡単な説明】
【００２０】
【図１】表示装置の構成を示す図である。
【図２】パララックスバリア方式について説明するための図である。
【図３】視点について説明するための図である。
【図４】デュアルドメイン構造の画素について説明するための図である。
【図５】７視点について説明するための図である。
【図６】サブ画素の配置とバリアの関係について説明するための図である。
【図７】バリアの他の形態について説明するための図である。
【図８】サブ画素の配置とバリアの関係について説明するための図である。
【図９】サブ画素の配置とバリアの関係について説明するための図である。
【図１０】サブ画素の配置とバリアの関係について説明するための図である。
【図１１】サブ画素の配置とバリアの関係について説明するための図である。
【図１２】サブ画素の他の形状について説明するための図である。
【図１３】サブ画素の配置とバリアの関係について説明するための図である。
【図１４】サブ画素の配置とバリアの関係について説明するための図である。
【図１５】サブ画素の配置とバリアの関係について説明するための図である。
【図１６】サブ画素の配置とバリアの関係について説明するための図である。
【図１７】サブ画素の配置とバリアの関係について説明するための図である。
【図１８】表示装置の一例を示す図である。
【発明を実施するための形態】
【００２１】
以下に、本技術の実施の形態について図面を参照して説明する。
【００２２】
以下に説明する本技術は、立体像を表示する装置に適用できる。立体像は、動画像、静止画像のどちらであっても良い。また、本実施の形態においては、裸眼で視聴したときに、立体像を提供する表示装置を例に挙げて説明する。また、裸眼で立体像を提供する方法として、以下の説明ではパララックスバリア方式（以下、適宜、バリア方式と記述する）を例に挙げて説明を行う。
【００２３】
なお、パララックスバリア以外の方式、例えば、レンチキュラースクリーンを用いた方式などにも、以下に説明する本実施の形態を適用することができる。また、バリアについては、遮光バリアだけでなく、液晶などを用い、スイッチングにより視点を生み出す方式、液晶レンズなどにも、以下に説明する本技術を適用することはできる。
【００２４】
すなわち、本技術は、光の振り分けを行うことで、２画面表示（多視点の表示）や立体表示などを行う装置に適用することができる。
【００２５】
図１は、表示装置１０の立体像を表示する表示部の詳細な構成を示す図である。表示装置１０は、画像や映像などを表示する表示部１１と、その表示部１１に観測者側に設けられた視差バリア１２から構成される。すなわち、表示部１１と同形状のパララックスバリア（視差バリア）１２が、表示部１１の表示面に装着されている。
【００２６】
視差バリア１２は、垂直方向のスリットを有する。観測者は、表示部１１に表示された画像を、視差バリア１２を介して視聴する。表示部１１には、所定の視位置から見たときの左目から見た像を表示する左目用画素と、右目から見た像を表示する右目用画素とが交互に配列されている。なおここでは、主に、観測者に立体像を提供する場合を例に挙げて説明するが、複数の観測者に異なる画像を提供する、換言すれば多視点の画像を提供する際にも本技術は適用できるため、適宜、多視点の場合を例に挙げて説明する。
【００２７】
［パララックスバリア方式について］
ここで、パララックスバリア方式について説明を加える。図２は、４視点について説明するための図である。４視点とは、図２において、視点Ｐ１、視点Ｐ２、視点Ｐ３、視点Ｐ４のことである。４視点のそれぞれの視点において、被視物体５１の見え方は異なる。表示部１１には、それぞれの視点における映像が表示される。
【００２８】
図２に示した４視点のうち、視点Ｐ１を左目の視点とした場合、視点３が右目の視点となる。よって、通常、人は左目と右目で同一の物体（この場合、被視物体５１）を見るので、映像としては、視点Ｐ１から見たときの映像と、視点Ｐ３から見たときの映像が、観測者に提供されることが好ましい。同じく、図２に示した４視点のうち、視点Ｐ２を左目の視点とした場合、視点４が右目の視点となる。よってこの場合、映像としては、視点Ｐ２から見たときの映像と、視点Ｐ４から見たときの映像が、観測者に提供されることが好ましい。
【００２９】
このように、複数の視点の映像が観測者に提供される場合、同時に観測者が視聴する映像の組み合わせは重要であり、観測者に正しい組み合わせの映像が視聴されるように、表示部１１と視差バリア１２により制御が行われる。表示部１１には、視差バリア１２の開口部に依存するが、視差バリア１２の開口部が直線形状である場合、視点の数に応じた視差像が、上下方向に長く切って交互に並べられる。図２，図３においては、表示部１１などを上から見た場合を例示する。視差バリア１２は、図３に示すように表示部１２の手前側（観測者側）に設置されている。
【００３０】
図３を参照するに、正しい視位置に観測者の視点がある場合、左目が視点Ｐ１の位置にあると、視差像１が左目から見え、右目が視点Ｐ３の位置にあると、視差像３が右目から見える。また、多視点の場合、観測者１に視差像１が供給され、観測者２に視差像２が供給され、観測者３に視差像３が供給され、観測者４に視差像４が供給されるようにすれば、異なる観測者に異なる画像（映像）を供給することができる。
【００３１】
［デュアルドメイン構造について］
次に、表示部１１の画素の配列などについて説明する。以下の説明においては、表示部１１が、ＦＦＳ（Fringe−Field Switching）方式のカラー液晶表示部である場合を例に挙げて説明する。図４は、表示部１１の１つの画素の構成を示す平面図である。
【００３２】
本実施の形態の表示部１１は、Ｒ（赤）、Ｇ（緑）、Ｂ（青）、Ｗ（白）の各色光を出力する４個のサブ画素で１個の画素を構成する表示装置に適用できる。ここで、表示を構成する最小単位となる表示領域を「サブ画素」、一組（Ｒ、Ｇ、Ｂ、Ｗ）のサブ画素から構成される表示領域を「画素」と称する。なお、本明細書において、「サブ画素の長手方向」とは、図４中のＹ軸方向とする。また「サブ画素の短手方向」とは、図４中のＹ軸と直交するＸ軸方向とする。
【００３３】
表示部１１の表示領域にマトリクス状に配置された複数のサブ画素Ｒ，Ｇ，Ｂ，Ｗには、画素電極１０１がそれぞれ設けられている。また、画素電極１０１には、当該画素電極１０１への通電制御を行うための画素スイッチング素子であるＴＦＴ（Thin Film Transistor：薄膜トランジスタ）素子（不図示）が接続されている。このＴＦＴ素子のソースにデータ線１０２が電気的に接続されている。各データ線１０２には、データ線駆動回路（不図示）から画像信号Ｓ１、Ｓ２、…、Ｓｎがそれぞれ供給される。
【００３４】
また、ＴＦＴ素子のゲートに、走査線１０３が電気的に接続されている。各走査線１０３には、所定のタイミングでパルス的に走査信号Ｇ１、Ｇ２、…、Ｇｍが供給される。走査信号Ｇ１、Ｇ２、…、Ｇｍは、各走査線１０３に対してこの順に線順次で印加される。また、ＴＦＴ素子のドレインには画素電極１０１が電気的に接続されている。そして、走査線１０３から供給された走査信号Ｇ１、Ｇ２、…、Ｇｍにより、スイッチング素子であるＴＦＴ素子を一定期間だけオン状態にすると、データ線１０２から供給された画像信号Ｓ１、Ｓ２、…、Ｓｎが、各画素の液晶に所定のタイミングで書き込まれる。
【００３５】
液晶に書き込まれた所定レベルの画像信号Ｓ１、Ｓ２、…、Ｓｎは、画素電極１０１と共通電極（不図示）との間に形成される液晶容量で一定期間保持される。液晶に電圧信号が印加されると、印加電圧レベルにより液晶分子の配向状態が変化する。これにより、液晶に入射した光が変調されて階調表示がなされる。
【００３６】
図４に示すように、各サブ画素Ｒ，Ｇ，Ｂ，Ｗ毎に設けられた画素電極１０１は、長方形をその長手方向の中央で屈曲させた形状であり、図４における上半分が右上がりに傾き、下半分が左上がりに傾くというように、屈曲部Ｋの両側がサブ画素Ｒ，Ｇ，Ｂ，Ｗの長手方向に対して互いに逆向きに傾くように屈曲している。
【００３７】
また、画素電極１０１の内部には、画素電極１０１の外縁の延在方向と同一の方向に延在するように、スリット１０５（間隙）が複数本形成されている。すなわち、各スリット１０５は、図４におけるサブ画素Ｒ，Ｇ，Ｂ，Ｗの上半分が右上がりに傾き、下半分が左上がりに傾くというように、屈曲部Ｋの両側がサブ画素Ｒ，Ｇ，Ｂ，Ｗの長手方向に対して互いに逆向きに傾くように屈曲している。スリット１０５の両側方が線状電極１０４となる。
【００３８】
このように、図４に示した１画素は、４個のサブ画素Ｒ、サブ画素Ｇ、サブ画素Ｂ、およびサブ画素Ｗを含む構成とされ、各サブ画素は、屈曲部Ｋで屈曲された形状とされている。このような屈強部Ｋを含むサブ画素がマトリクス上に配置されることで、表示部１１が構成される。そして、そのような表示部１１上に視差バリア１２が設けられている。
【００３９】
なお、１画素は、４個のサブ画素Ｒ、サブ画素Ｇ、サブ画素Ｂ、およびサブ画素Ｗで構成されるが、１個のサブ画素は、図４に示した例では、屈曲部Ｋの上下にそれぞれ位置する２個の画素、仮に上サブ画素、下サブ画素と記載すると、上サブ画素と下サブ画素で、１個のサブ画素とされている。
【００４０】
この上サブ画素と下サブ画素が、それぞれ一体として構成され、同一色とされて構成される場合、それぞれ別体として構成され、同一色とされて構成される場合、それぞれ別体として構成され、異なる色として構成される場合とがある。以下の説明においては、上サブ画素と下サブ画素を、それぞれ別体として構成し、それぞれサブ画素と記述するが、上サブ画素と下画素が、一体として構成される場合にも、以下に説明する本技術は適用できる。
【００４１】
［画素とバリアの関係１について］
次に、図４に示したような４個のサブ画素で１画素が構成される表示部１１と、視差バリア１２の関係について説明する。以下の説明においては、図５に示すように、表示部１１が７視点に対応している場合を例に挙げて説明を続ける。図５に示したように、右から順に視点Ｐ１乃至Ｐ７が存在するとき、表示部１１の画素は、左から順に視差像１乃至７が配列されている。
【００４２】
なお、表示部１１の画素は、左から順に視差像１乃至７が配列されていると記載したが、この配列は、視差バリア１２として、どのような開口形状を有するバリアを用いるかに依存する。詳細は図面を参照して後述するが、例えば、視差バリア１２として、開口形状が、直線形状の視差バリア１２が用いられた場合、視差像も、直線形状で配列される。また、ステップ形状の視差バリア１２が用いられた場合、視差像も、ステップ形状で配列される。
【００４３】
まず図６を参照し、ステップ形状の視差バリア１２（ステップバリアなどと称されることがある視差バリア）が用いられた場合において、１視点に画像を供給する画素（サブ画素）の配置などについて説明する。
【００４４】
図６Ａに示すようにサブ画素が配置されている。図６および以下の説明に用いる図において、Ｒとの記載は、サブ画素Ｒを表し、Ｇとの記載は、サブ画素Ｇを表し、Ｂとの記載は、サブ画素Ｂを表し、Ｗとの記載は、サブ画素Ｗを表すとする。
【００４５】
また、サブ画素の位置を表す記載として、サブ画素１−２といった表記を行う。サブ画素１−２との表記において、“１”は、Ｘ軸方向（図４）における左側から数えたときに、１番目に位置することを示し、“２”は、Ｙ軸方向（図４）における上側から数えたときに、２番目に位置することを示す。例えば、サブ画素１−１は、図６Ａ中、一番左の一番上のサブ画素Ｒを示す。また、同様に例えば、サブ画素４−１は、図中６Ａ中、左から４番目の一番上のサブ画素Ｗを示す。
【００４６】
このような表記は、視差バリア１２に対しても適用し、例えば、視差バリア１２の開口部１−４との表記は、視差バリア１２の開口部であり、サブ画素１−４の位置に相当する位置に開口された開口部であることを意味する。例えば、図６Ｂにおいて、開口部１−１との表記は、視差バリア１２の一番左の一番上に位置する開口部であり、サブ画素１−１が位置する位置に存在する開口部であることを示す。
【００４７】
このような表記は、他の図面においても同様であるとして、説明を続ける。
【００４８】
図６Ａに示した画素配列においては、横方向（Ｘ軸方向）に配列されたサブ画素Ｒ、サブ画素Ｇ、サブ画素Ｂ、サブ画素Ｗで１つの画素が構成される。例えば、サブ画素１−１のサブ画素Ｒ、サブ画素２−１のサブ画素Ｇ、サブ画素３−１のサブ画素Ｂ、およびサブ画素４−１のサブ画素Ｗで、１つの画素が構成される。
【００４９】
また、図中、一番上に示したサブ画素１−１乃至１４−１は、右上方向に傾くように配置され、図中、上から２番目に示したサブ画素１−２乃至１４−２は、左上方向に傾くように配置されている。以下、同様に、右上方向に傾くように配置されたサブ画素と左上方向に傾くように配置されたサブ画素とが交互に配置されている。
【００５０】
図６Ｂは、視差バリア１２の一例を示す図である。図６Ｂに示した視差バリア１２は、ステップバリアであり、開口部がステップ状に構成されている。図６Ｂに示した視差バリア１２は、開口部１−１の右下に開口部２−２が設けられ、開口部２−２の右下に開口部３−３が設けられといったように、ステップ状に開口部が設けられている。
【００５１】
なお、ここでは、図６Ｂに示したように、サブ画素の大きさに相当する四角形が斜め方向にステップ状で連続的に設けられた視差バリア１２を示したが、図７に示すような視差バリア１２で、図６Ｂに示した視差バリア１２を構成することも可能である。図７に示した視差バリア１２は、斜め方向の直線が開口部とされ、そのような斜め方向の直線が連続的に、各線が平行な状態で開口部が設けられた視差バリア１２である。
【００５２】
表示装置１０においては、図６Ａに示した画素上に、図６Ｂに示した視差バリア１２が重ねられる。重ね合わされた状態を、図６Ｃに示す。図６Ｃを参照するに、視差バリア１２の開口部１−１から、サブ画素１−１のサブ画素Ｒが見え、視差バリア１２の開口部２−２から、サブ画素２−２のサブ画素Ｇが見え、視差バリア１２の開口部３−３から、サブ画素３−３のサブ画素Ｂが見え、視差バリア１２の開口部４−４から、サブ画素４−４のサブ画素Ｗが見えている。他の開口部においても同様に、開口されている部分から、配置されているサブ画素が見えるように構成されている。
【００５３】
所定の１視点から見たとき、図６Ｃに示したようなサブ画素からの光が、観測者に提供される。このように、図６Ｂに示した視差バリア１２には、視差毎の画像のカラーバランスのため、斜め方向にサブ画素Ｒ，Ｇ，Ｂ，Ｗといった１画素を構成するサブ画素が、均等になるように開口部が設けられている。
【００５４】
図６Ｃを再度参照するに、観測者から見えるサブ画素のうち、例えば、サブ画素１−１とサブ画素９−２は、それぞれ赤色のサブ画素Ｒである。そしてサブ画素１−１は、左上方向に傾いたサブ画素であり、サブ画素９−２は、右上方向に傾いたサブ画素である。この場合、異なる方向に傾いた同一色のサブ画素が、同一の１視点に対して供給されることを意味する。換言すれば、同じ視点に、逆のドメインのサブ画素からの画像が供給されることを意味する。このようなことは、他の色のサブ画素に注目したときも同様に発生している。
【００５５】
図６Ｃに示した例では、Ｘ軸方向で近接する開口部に位置する同色のサブ画素同士は、逆のドメインサブ画素となっている。
【００５６】
また、Ｙ軸方向でサブ画素を見たとき、例えば、サブ画素１−１のサブ画素Ｒと、サブ画素１−５のサブ画素Ｒは、ともに赤色のサブ画素であり、左上方向に傾いたサブ画素である。他のサブ画素も同じく、Ｙ軸方向で近接する開口部に位置する同色のサブ画素は、同じ方向のドメインの画素となっている。
【００５７】
このように、１視点内に、Ｘ軸方向で近接する同一色のサブ画素が、異なる方向のドメインの画素であり、Ｙ軸方向で近接する同一色のサブ画素が、同一方向のドメインの画素であるような場合、スジ、クロストーク、モアレなどが発生し、光学特性が劣化する可能性がある。
【００５８】
［光学特性が劣化しない第１の視差バリアについて］
そこで、次に、図６Ａと同じサブ画素の配置のときに、光学特性が劣化しない視差バリア１２について説明する。なおここでは、図６Ａと同じサブ画素の配置を前提とし、その画素配置において光学特性が劣化しないように視差バリア１２を変更する場合を例に挙げて説明するが、視差バリア１２の開口（視差バリア１２のデザイン）は変えずに、サブ画素の光学特性が劣化しないような配置に、サブ画素の配置を変更することも可能であり、そのような場合も本技術の適用範囲に含まれる。
【００５９】
図８は、ステップ形状の視差バリア１２が用いられた場合において、１視点に画像を供給する画素（サブ画素）の配置などについて説明するための図である。図８Ａに示したサブ画素の配置は、図６Ａに示したサブ画素の配置と同様である。そのような配置のサブ画素から構成される表示部１１に対して、図８Ｂに示した視差バリア１２が設けられると、図８Ｃに示すようなサブ画素からの光が、観測者に提供されることになる。
【００６０】
図８Ｂに示した視差バリア１２について説明する。図８Ｂに示した視差バリア１２は、１つの開口部に２つのサブ画素が含まれるように構成されている。例えば、開口部１−１と開口部１−２は、縦方向（Ｙ軸方向）に連続して開けられた開口部とされている。同様に開口部２−３と開口部２−４も、縦方向に連続して開けられた開口部とされ、開口部３−５と開口部３−６も、縦方向に連続して開けられた開口部とされている。
【００６１】
このような２つのサブ画素を含む大きさの開口部が、ステップ状に配置された形状に、視差バリア１２は構成されている。
【００６２】
図８Ｃを参照するに、視差バリア１２の開口部１−１には、サブ画素１−１のサブ画素Ｒが位置し、開口部１−２には、サブ画素１−２のサブ画素Ｒが位置している。同じく、視差バリア１２の開口部２−３には、サブ画素２−３のサブ画素Ｇが位置し、開口部２−４には、サブ画素２−４のサブ画素Ｇが位置している。他の開口部においても同様に、２つの同色のサブ画素が含まれるように、２つの開口部が連続して開けられている。
【００６３】
すなわち、縦方向で近接する開口部、例えば、開口部１−１と開口部１−２には、同色のサブ画素であり、逆のドメインのサブ画素（異なる光学特性のサブ画素）が位置するように、視差バリア１２の開口部が設けられている。
【００６４】
また横方向で近接する開口部、例えば、開口部１−１と開口部８−１には、異なる色であるが、同一のドメインのサブ画素（同一の光学特性のサブ画素）が位置するように、視差バリア１２の開口部が設けられている。図８Ｃを参照するに、サブ画素１−１のサブ画素Ｒを先頭とする縦方向の開口部内に含まれるサブ画素のドメインの方向と、サブ画素８−１のサブ画素Ｗを先頭とする縦方向の開口部内に含まれるサブ画素のドメインの方向は、同一の方向となっている。
【００６５】
このように、図８Ａに示したように、異なる光学特性を有する画素が配置されている表示部１１と、その表示部１１の表示面側に対向配置され、表示部１１からの光線を所定の方向へ通過させる図８Ｂに示したような視差バリア１２の開口部があったときに、図８Ｃに示すように、表示部１１の異なる光学特性の画素であり、同色の画素、例えば、サブ画素１―１のサブ画素Ｒとサブ画素１―２の画素Ｒが、開口部１−１と開口部１−２が連続して設けられている開口部に位置するように表示装置１０は構成されている。
【００６６】
また、表示部１１の画素は、デュアルドメイン構造とされており、例えば、サブ画素１―１のサブ画素Ｒとサブ画素１―２の画素Ｒといった対をなす異なる光学特性の同色のサブ画素が、開口部１−１と開口部１−２が連続して設けられている開口部に位置するように表示装置１０は構成されている。
【００６７】
このように１つの視点に対して、縦方向では異なるドメインの色を観測者に提供することができ、横方向では同一のドメインの色を観測者に提供することができるようになる。すなわち、異なる光学特性を有するサブ画素を均一に配置することができる。このことにより、スジ、クロストーク、モアレといった光学特性の劣化を抑えることが可能となる。
【００６８】
［光学特性が劣化しない第２の視差バリアについて］
図９は、他の視差バリア１２について説明するための図である。図９も、図８と同じく、図９Ａに示したサブ画素の配置は、図６Ａに示したサブ画素の配置と同様である。そのような配置のサブ画素から構成される表示部１１に対して、図９Ｂに示した視差バリア１２が設けられると、図９Ｃに示すようなサブ画素からの光が、観測者に提供されることになる。
【００６９】
図９Ｂに示した視差バリア１２について説明する。図９Ｂに示した視差バリア１２も図８Ｂに示した視差バリア１２と同じく、２つの開口部が連続的に設けられ、その連続的に設けられた開口部に２つのサブ画素が含まれるように構成されている。例えば、開口部１−１と開口部１−２は、縦方向（Ｙ軸方向）に連続して開けられた開口部とされている。同様に開口部２−２と開口部２−３も、縦方向に連続して開けられた開口部とされ、開口部３−３と開口部３−４も、縦方向に連続して開けられた開口部とされている。
【００７０】
図９Ｂに示した視差バリア１２と図８Ｂに示した視差バリア１２とでは、縦方向（Ｙ軸方向）で見たとき、２つのサブ画素を含む大きさの開口部とされている点で一致している。しかしながら、横方向（Ｘ軸方向）で見たとき、図８Ｂに示した視差バリア１２は、１つの開口部で構成され、１つのサブ画素を含む開口部として構成されているが、図９Ｂに示した視差バリア１２は、２つの開口部が連続して開けられ、２つのサブ画素を含む開口部として構成されている点が異なる。
【００７１】
例えば、開口部１−２と開口部２−２は、横方向に近接する開口部であり、この連続して開けられた開口部には、サブ画素１−２のサブ画素Ｒと、サブ画素２−２のサブ画素Ｇが含まれる。
【００７２】
このように、縦方向と横方向、ともに２個のサブ画素を含む大きさの開口部を有する図９に示した視差バリア１２においても、図８に示した視差バリア１２と同じく、１つの視点に対して、異なる光学特性を有するサブ画素を均一に配置することができる。
【００７３】
すなわち、図９Ａに示したように、異なる光学特性を有する画素が配置されている表示部１１と、その表示部１１の表示面側に対向配置され、表示部１１からの光線を所定の方向へ通過させる図９Ｂに示したような視差バリア１２の開口部があったときに、図９Ｃに示すように、表示部１１の異なる光学特性の画素であり、同色の画素、例えば、サブ画素１―１のサブ画素Ｒとサブ画素１―２の画素Ｒが、開口部１−１と開口部１−２が連続して設けられている開口部に位置するように表示装置１０は構成されている。
【００７４】
このようなサブ画素の配置と視差バリア１２の開口部との関係により、スジ、クロストーク、モアレといった光学特性の劣化を抑えることが可能となる。
【００７５】
［画素とバリアの関係２について］
次に、図１０を参照し、４個のサブ画素で１画素が構成される表示部１１と、視差バリア１２の関係について説明する。図１０を参照した説明においても、図５に示したように、表示部１１が７視点に対応している場合を例に挙げて説明を続ける。
【００７６】
図１０Ａに示した画素配列においては、縦方向（Ｙ軸方向）に配列されたサブ画素で１画素が構成されている。例えば、サブ画素１−１のサブ画素Ｒ、サブ画素１−２のサブ画素Ｇ、サブ画素１−３のサブ画素Ｂ、およびサブ画素１−４のサブ画素Ｗで、１画素が構成されている。
【００７７】
また、図中、一番上に示したサブ画素１−１乃至１４−１は、右上方向に傾くように配置され、図中、上から２番目に示したサブ画素２−１乃至１４−２は、左上方向に傾くように配置されている。以下、同様に、右上方向に傾くように配置されたサブ画素と左上方向に傾くように配置されたサブ画素とが交互に配置されている。
【００７８】
図１０Ｂは、視差バリア１２の一例を示す図である。図１０Ｂに示した視差バリア１２は、開口部が直線形状のバリアである。図１０Ｂに示した視差バリア１２は、開口部１−１乃至１−６が連続的に設けられているため、直線状に開口された視差バリア１２とされている。同様に、開口部８−１乃至８−６が連続的に設けられることで、直線状に開口された開口部が視差バリア１２に設けられている。このように、視差バリア１２は、直線の開口部が平行して設けられたバリアとされている。
【００７９】
なお、ここでは、直線形状であるとして説明を続けるが、サブ画素と同じく、右上方向や左上方向に傾く開口部が連続的に設けられる形状とすることも可能である。換言すれば、視差バリア１２の開口部は、サブ画素と同様にくの字形状にされていても良いし、図１０Ｂに示すような平行線でも良い。他の図面においても同様に、サブ画素と一致する形状の開口部とすることは可能である。
【００８０】
表示装置１０は、図１０Ａに示したサブ画素の配置を有する表示部１１上に、図１０Ｂに示した視差バリア１２が重ねられることで構成されている。重ね合わされた状態を、図１０Ｃに示す。図１０Ｃを参照するに、視差バリア１２の開口部１−１から、サブ画素１−１のサブ画素Ｒが見え、開口部１−２から、サブ画素１−２のサブ画素Ｇが見え、開口部１−３から、サブ画素１−３のサブ画素Ｂが見え、開口部１−４から、サブ画素１−４のサブ画素Ｗが見えている。他の開口部においても同様に、開口されている部分から、配置されているサブ画素が見えるように構成されている。
【００８１】
所定の１視点から見たとき、図１０Ｃに示したようなサブ画素からの光が、観測者に提供される。このように、図１０Ｂに示した視差バリア１２には、視差毎の画像のカラーバランスのため、縦方向にサブ画素Ｒ，Ｇ，Ｂ，Ｗといった１画素を構成するサブ画素が、均等になるように開口部が設けられている。
【００８２】
図１０Ｃを再度参照するに、観測者から見えるサブ画素のうち、例えば、サブ画素１−１とサブ画素８−４は、それぞれ赤色のサブ画素Ｒである。そしてサブ画素１−１は、右上方向に傾いたサブ画素であり、サブ画素８−４は、左上方向に傾いたサブ画素である。この場合、異なる方向に傾いた同一色のサブ画素が、同一の１視点に対して供給されている。換言すれば、同じ視点に、異なる構成からなるサブ画素からの光が、観測者に供給される。
【００８３】
図１０Ｃに示した例では、Ｘ軸方向に近接する開口部に位置する同色のサブ画素同士は、逆のドメインのサブ画素となっている。
【００８４】
Ｙ軸方向（縦方向）でサブ画素を見たとき、図１０Ｃを参照するに、例えば、サブ画素１−１のサブ画素Ｒと、サブ画素１−５のサブ画素Ｒは、ともに赤色のサブ画素であり、左上方向に傾いたサブ画素である。他のサブ画素も同じく、同色のサブ画素は、同じ方向のドメインのサブ画素となっている。
【００８５】
このような図１０に示した状態は、図６に示した状態と同じく、１視点内に、Ｘ軸方向で近接する同一色のサブ画素が、異なる方向のドメインの画素であり、Ｙ軸方向で近接する同一色のサブ画素が、同一方向のドメインの画素である。このような場合、スジ、クロストーク、モアレなどが発生し、光学特性が劣化する可能性がある。
【００８６】
［光学特性が劣化しない第３の視差バリアについて］
そこで、次に、図１０Ａと同じサブ画素の配置のときに、光学特性が劣化しない視差バリア１２について説明する。
【００８７】
図１１は、直線形状の視差バリア１２が用いられた場合において、１視点に画像を供給する画素（サブ画素）の配置などについて説明するための図である。図１１Ａに示したサブ画素の配置は、図１０Ａに示したサブ画素の配置と同様である。そのような配置のサブ画素から構成される表示部１１に対して、図１１Ｂに示した視差バリア１２が設けられると、図１１Ｃに示すようなサブ画素からの光が、観測者に提供されることになる。
【００８８】
図１１Ｂに示した視差バリア１２について説明する。図１１Ｂに示した視差バリア１２は、図１０Ｂに示した視差バリア１２と同一の形状とされている。図１０Ｂに示した視差バリア１２は、開口部１−１と開口部１−８をそれぞれ先頭とする直線の開口部が設けられているが、図１１Ｂに示した視差バリア１２は、開口部１−１と開口部１−９をそれぞれ先頭とする直線の開口部が設けられている点が異なる。
【００８９】
このように、開口部を１ラインずらすことで、図１１Ｃを参照して説明するように、光学特性が劣化してしまうようなことを防ぐことができる。この場合、視点数を７視点から８視点に変更した場合に相当するので、換言すれば、視点数を調整することで、光学特性が劣化してしまうようなことを防ぐことができる。
【００９０】
図１１Ｃを参照するに、視差バリア１２の開口部１−１には、サブ画素１−１のサブ画素Ｒが位置し、この開口部１−１の縦方向で下側に位置する開口部１−５には、サブ画素１−５のサブ画素Ｒが位置している。この２つのサブ画素Ｒは、同じ特性のサブ画素である。同じく、視差バリア１２の開口部１−２には、サブ画素１−２のサブ画素Ｇが位置し、この開口部１−１の同一開口部に設けられた開口部１−６には、サブ画素１−６のサブ画素Ｇが位置している。この２つのサブ画素Ｇは、同じ特性のサブ画素である。
【００９１】
他の開口部においても同様に、縦方向で近接する同色のサブ画素は、同じ光学特性を有するサブ画素とされている。すなわち、縦方向で近接する開口部には、同色のサブ画素であり、同一のドメインのサブ画素（同じ光学特性のサブ画素）が位置するように、視差バリア１２の開口部が設けられている。よって、縦方向において（直線形状の開口部が設けられている方向において）１つの視点に対して、同じドメインの色を観測者に提供することができるようになる。
【００９２】
また横方向（Ｘ軸方向）でサブ画素を見たとき、開口部１−１のサブ画素Ｒ、開口部９−１のサブ画素Ｒは、共に、右上方向に傾いたサブ画素であり、同一の特性を有するサブ画素である。同じように、開口部１−２のサブ画素Ｇ、開口部９−２のサブ画素Ｇは、共に、左上方向に傾いたサブ画素であり、同一の特性を有するサブ画素である。他の開口部においても同様に、横方向で近接する同色のサブ画素は、同じ特性のサブ画素とされている。
【００９３】
すなわち、横方向で近接する直線形状の開口部内の同色のサブ画素は、同じドメインのサブ画素（同じ光学特性のサブ画素）が位置するように、視差バリア１２の開口部が設けられている。よって、１つの視点に対して、同一のドメインの色を観測者に提供することができるようになる。
【００９４】
このようなサブ画素の配置にし、視差バリア１２の開口部を設けることで、例えば、２視差のとき、右目と左目には、それぞれ同じ光学特性のサブ画素からの光が供給されるようになる。人の目の特性として、同一の目に違う特性の光が入ると違和感を感じるが、異なる目に違う特性の光が入るぶんには気付きづらいといった特性がある。よって、右目用の光学特性と左目用の光学特性が異なっていても、観測者はその違いに気付きづらく、画質の劣化につながることはないと考えられる。
【００９５】
このようなことから、図１１に示したような画素配置や視差バリア１２を用いることで、同一の目には同一の光学特性を有する画素からの光のみが供給されるようにすることができる。
【００９６】
すなわち、図１１Ａに示したように、異なる光学特性を有する画素が配置されている表示部１１と、その表示部１１の表示面側に対向配置され、表示部１１からの光線を所定の方向へ通過させる図１１Ｂに示したような視差バリア１２の開口部があったときに、図１１Ｃに示すように、所定の視点に供給される視差画像が、表示部１１の同一の光学特性の画素、例えば、サブ画素１―１のサブ画素Ｒとサブ画素９―１のサブ画素Ｒから構成されるような位置に開口部１−１と開口部９−１がそれぞれ設けられているように表示装置１０は構成されている。
【００９７】
このような構成を有することにより、スジ、クロストーク、モアレといった光学特性の劣化を抑えることが可能となる。
【００９８】
［他の画素形状について］
図４乃至図１１に示したサブ画素は、例えば、図１１Ａを参照するに、縦方向に長い画素として図示し、説明を行った。しかしながら、縦方向に長い画素に対してのみ、本技術が適用されることを意味するのではなく、図１２に示すような横方向に長い画素に対しても、本技術を適用することは可能である。
【００９９】
図１２に示したサブ画素の配置は、各サブ画素は、横方向に長い形状のサブ画素とされ、縦方向に１画素を構成するサブ画素Ｒ、サブ画素Ｇ、サブ画素Ｂ、およびサブ画素Ｗが配置されている。図示はしないが、このような横方向に長い形状のサブ画素の場合も、例えば、図６や図１０を参照して説明したように、視差バリア１２の開口部の位置や形状により、スジ、クロストーク、モアレといった光学特性が劣化する可能性がある。
【０１００】
しかしながら、図８、図９、または図１１を参照して説明したように、適切に、視差バリア１２の開口部の位置や形状を設けることで、光学特性を劣化させるようなことを防ぐことが可能である。ここでは、図１２に示した横方向に長い形状のサブ画素の場合についての視差バリア１２については、図８、図９、または図１１を参照して説明した場合を適用できるため、説明を省略する。また、以下の説明においても、サブ画素の形状は縦方向に長い形状の場合を例に挙げて説明をするが、サブ画素の形状が横方向に長い形状の場合であっても、同様に適用できる。
【０１０１】
［画素とバリアの関係３について］
次に、図１３を参照し、４個のサブ画素で１画素が構成される表示部１１と、視差バリア１２の関係について説明する。図１３を参照した説明は、表示部１１が３視点に対応している場合を例に挙げて説明を続ける。
【０１０２】
図１３Ａに示した画素配列においては、２×２に配列された４個のサブ画素で１画素が構成されている。例えば、サブ画素１−１のサブ画素Ｒ、サブ画素２−１のサブ画素Ｇ、サブ画素１−２のサブ画素Ｗ、およびサブ画素２−２のサブ画素Ｂで、１画素が構成されている。この１画素を構成する４つのサブ画素は、図１３Ａを参照するに、右上方向に傾くように配置されている。
【０１０３】
図中、１番上に示したサブ画素１−１乃至８−１と２番目に示したサブ画素１−２乃至８−２は、右上方向に傾くように配置され、図中、上から３番目に示したサブ画素１−３乃至８−３と、４番目に示したサブ画素１−４乃至８−４は、左上方向に傾くように配置されている。以下、同様に、２列毎に右上方向に傾くように配置されたサブ画素と左上方向に傾くように配置されたサブ画素とが交互に配置されている。
【０１０４】
図１３Ｂは、視差バリア１２の一例を示す図である。図１３Ｂに示した視差バリア１２は、開口部が直線形状のバリアであり、その形状は、例えば図１１Ｂに示した視差バリア１２と同様である。図１３Ｂに示した視差バリア１２は、開口部１−１乃至１−８が連続的に設けられているため、直線状に開口された視差バリア１２とされている。同様に、開口部４−１乃至４−８が連続的に設けられることで、直線状に開口された開口部が視差バリア１２に設けられている。このように、視差バリア１２は、直線の開口部が平行して設けられたバリアとされている。
【０１０５】
表示装置１０は、図１３Ａに示したサブ画素の配置で構成される表示部１１上に、図１３Ｂに示した視差バリア１２が重ねられる構成とされる。重ね合わされた状態を、図１３Ｃに示す。図１３Ｃを参照するに、視差バリア１２の開口部１−１から、サブ画素１−１のサブ画素Ｒが見え、開口部１−２からサブ画素１−２のサブ画素Ｗが見え、開口部１−３からサブ画素１−３のサブ画素Ｇが見え、開口部１−４からサブ画素１−４のサブ画素Ｂが見えている。他の開口部においても同様に、開口されている部分から、配置されているサブ画素が見えるように構成されている。
【０１０６】
図１３Ｃを参照するに、横方向で近接する開口部内のサブ画素のうち、例えば、サブ画素１−１とサブ画素４−３は、それぞれ赤色のサブ画素Ｒである。この２つのサブ画素のうち、サブ画素１−１は、右上方向に傾いたサブ画素であり、サブ画素４−３は、左上方向に傾いたサブ画素である。この関係は、同じ視点に、逆のドメインのサブ画素から光が供給されることを意味する。このようなことは、他の色のサブ画素に注目したときにも同様に発生している。
【０１０７】
図１３Ｃに示した例では、Ｘ軸方向に近接する開口部に位置する同色のサブ画素同士は、逆のドメインのサブ画素となっている。
【０１０８】
Ｙ軸方向に連続的に配置された開口部内のサブ画素を見たとき、例えば、サブ画素１−１のサブ画素Ｒと、サブ画素１−５のサブ画素Ｒは、ともに赤色のサブ画素であり、右上方向に傾いたサブ画素である。他のサブ画素も同じく、同じ開口部に含まれる同色のサブ画素は、同じ方向のドメインの画素となっている。
【０１０９】
このような図１３に示した状態は、図６に示した状態と同じく、１視点内に、Ｘ軸方向で近接する同一色のサブ画素が、異なる方向のドメインの画素であり、Ｙ軸方向で近接する同一色のサブ画素が、同一方向のドメインの画素である。このような場合、スジ、クロストーク、モアレなどが発生し、光学特性が劣化する可能性がある。
【０１１０】
［光学特性が劣化しない第４の視差バリア（画素配置）について］
そこで、次に、図１３Ｂと同じ視差バリア１２が用いられたときに、光学特性が劣化しないサブ画素の配置（形状）について説明する。
【０１１１】
図１４は、直線形状の視差バリア１２が用いられた場合において、１視点に画像を供給する画素（サブ画素）の配置などについて説明するための図である。図１４Ａに示した１画素を構成するサブ画素の配置は、図１３Ａに示した１画素を構成するサブ画素の配置と同様であるが、サブ画素が傾く方向が異なっている。
【０１１２】
図１４Ａに示したサブ画素の配置は、図１３Ａに示したサブ画素の配置と同じく、２×２に配列された４個のサブ画素で１画素が構成され、例えば、サブ画素１−１のサブ画素Ｒ、サブ画素２−１のサブ画素Ｇ、サブ画素１−２のサブ画素Ｗ、およびサブ画素２−２のサブ画素Ｂで、１画素が構成されている。
【０１１３】
しかしながら、この４個のサブ画素のうち、サブ画素１−１のサブ画素Ｒとサブ画素２−１のサブ画素Ｇは、右上方向に傾き、サブ画素１−２のサブ画素Ｗとサブ画素２−２のサブ画素Ｂは、左上方向に傾いている点が図１３Ａに示したサブ画素の配置と異なる。
【０１１４】
図１３Ａに示したサブ画素の配置は、２行毎にドメインの方向が変わるように構成されていたが、図１４Ａに示したサブ画素の配置は、１行毎にドメインの方向が変わるのが基本とされ、一部、２行がドメインの方向が同一とされている構成とされている。
【０１１５】
図１４Ａに示したサブ画素の配置においては、１行目が右上方向、２行目が左上方向、３行目が右上方向、４行目が左上方向、５行目が左上方向、６行目が右上方向、７行目が左上方向、８行目が右上方向に傾くように配置されている。
【０１１６】
このような配置のサブ画素から構成される表示部１１に対して、図１４Ｂに示した視差バリア１２が設けられると、図１４Ｃに示すようなサブ画素からの光が、観測者に提供されることになる。図１４Ｂに示した視差バリア１２は、図１３Ｂに示した視差バリア１２と同一の形状である。
【０１１７】
図１４Ｃを参照するに、視差バリア１２の開口部１−１には、サブ画素１−１のサブ画素Ｒが位置し、この開口部１−１の縦方向に連続して設けられている開口部１−５には、サブ画素１−５のサブ画素Ｒが位置している。この２つのサブ画素Ｒは、異なる特性のサブ画素（異なる方向のドメインのサブ画像）である。図１３Ｃに示した例では、この２つのサブ画素Ｒは、同一の特性のサブ画素であったが、図１４Ａを参照して説明したようにサブ画素の配置を行うことで、異なる特性のサブ画素となる。
【０１１８】
同じく、視差バリア１２の開口部１−２には、サブ画素１−２のサブ画素Ｗが位置し、この開口部１−２の下側に設けられた開口部１−６には、サブ画素１−６のサブ画素Ｗが位置している。この２つのサブ画素Ｗも、異なる方向のドメインであるため、異なる特性のサブ画素とされている。
【０１１９】
他の開口部においても同様に、縦方向で近接する同色のサブ画素は、異なる特性のサブ画素とされている。すなわち、縦方向で近接する同色のサブ画素であり、逆のドメインのサブ画素（異なる光学特性のサブ画素）が位置するように、視差バリア１２の開口部が設けられている。よって、１つの視点に対して、縦方向では、異なるドメインの同一色のサブ画像を混ぜた状態で観測者に提供することができるようになる。
【０１２０】
横方向（Ｘ軸方向）でサブ画素を見たとき、開口部１−１のサブ画素Ｒ、開口部４−３のサブ画素Ｒは、共に、右上方向に傾いたサブ画素であり、同一特性を有するサブ画素である。同じように、開口部１−２のサブ画素Ｗ、開口部４−４のサブ画素Ｗは、共に、左上方向に傾いたサブ画素であり、同一特性を有するサブ画素である。
【０１２１】
また、開口部１−５のサブ画素Ｒ、開口部４−３のサブ画素Ｒは、左上方向に傾いたサブ画素と右上方向に傾いたサブ画素であり、異なる特性を有するサブ画素である。
【０１２２】
他の開口部においても同様に、横方向で近接する同色のサブ画素は、同じ特性のサブ画素またはことある特性のサブ画素とされている。すなわち、横方向で近接する同色のサブ画素は、同じドメインのサブ画素（同じ光学特性のサブ画素）と異なるドメインのサブ画素（異なる光学特性のサブ画素）が均一に混ざるように、視差バリア１２の開口部が設けられている。
【０１２３】
すなわち、図１４Ａに示したように、異なる光学特性を有する画素が配置されている表示部１１と、その表示部１１の表示面側に対向配置され、表示部１１からの光線を所定の方向へ通過させる図１４Ｂに示したような視差バリア１２の開口部があったときに、図１４Ｃに示すように、表示部１１の異なる光学特性の画素であり、同色の画素、例えば、サブ画素１−１のサブ画素Ｒとサブ画素１−５のサブ画素Ｒが、開口部１−１を先頭とする縦方向の開口部（スリット）内で混在するように表示装置１０は構成されている。
【０１２４】
このようなサブ画素の配置（ドメインの方向を考慮した配置）とすることにより、スジ、クロストーク、モアレといった光学特性の劣化を抑えることが可能となる。
【０１２５】
［画素とバリアの関係４について］
表示部１１が、液晶材料が封止されている液晶ディスプレイである場合など、表示部１１は、２つの基板間に所定のギャップが維持され、その基板間に液晶材料が封止されている。２つの基板間のギャップを維持するために、スペーサが設けられている。このスペーサが存在するサブ画素とスペーサが存在しないサブ画素とでは光学特性が異なる。
【０１２６】
そこで、スペーサについても考慮する必要がある。図１５を参照し、スペーサ、画素、および視差バリアの関係について説明する。なお、図１５，図１６を参照しての説明は、１画素が３個のサブ画素で構成されている例を挙げて説明する。すなわち、図１５Ａに示すように、例えば、サブ画素１−１のサブ画素Ｒ、サブ画素２−１のサブ画素Ｇ、およびサブ画素３−１のサブ画素Ｂの３個のサブ画素で、１個の画素が構成される。図１５Ａに示したサブ画素は、縦方向に同一色が配置され、傾きが無い状態で配置されている。
【０１２７】
図１５Ａ中、黒い小さな四角形は、スペーサを表す。スペーサは、サブ画素１−１のサブ画素Ｒ、サブ画素１−１３のサブ画素Ｒ、サブ画素４−４のサブ画素Ｒ、サブ画素７−７のサブ画素Ｒのそれぞれのサブ画素内の上側に設けられている。スペーサがあるサブ画素は、一部分が切り取られたような形状となるため、例えば他のサブ画素と比較して輝度が落ちるなどの光学特性の違いが出てしまう。
【０１２８】
ここではスペーサを例に挙げているが、スペーサ以外にも、例えば、白色度の調整、トランジスタなどの回路の引きまわしのために、サブ画素の一部分が遮光される可能性がある。このように遮光されたサブ画素と、遮光されていないサブ画素とでは、輝度の違いなどの光学特性の違いがある。例えば、サブ画素１−１のサブ画素Ｒにはスペーサがあり、サブ画素１−２のサブ画素Ｒにはスペーサがないため、この２つのサブ画素Ｒは、同色であっても、異なる光学特性を有することになる。
【０１２９】
図１５Ｂは、視差バリア１２の一例を示す図である。図１５Ｂに示した視差バリア１２は、開口部がステップ上に設けられたステップバリアである。１つの開口部は、３個のサブ画素が含まれる大きさとされている。例えば、開口部１−１、開口部２−１、開口部３−１が連続的な１つの開口部とされている。この開口部の下側には、１個のサブ画素分だけ、右側に開口部がずらされて、同サイズの開口部が設けられている。
【０１３０】
このように、３個のサブ画素が含まれる大きさの開口部が、ステップ状に設けられたデザインの視差バリア１２とされている。このような視差バリア１２が、図１５Ａに示したサブ画素の配列を有する表示部１１上に設けられると、図１５Ｃに示したように、サブ画素からの光が観測者に供給されることになる。
【０１３１】
図１５Ｃを参照するに、視差バリア１２の開口部１−１から、サブ画素１−１のサブ画素Ｒが見え、開口部２−１からサブ画素２−１のサブ画素Ｇが見え、開口部３−１からサブ画素３−１のサブ画素Ｂが見えている。この開口部においては、サブ画素１−１のサブ画素Ｒにスペーサが存在する。この開口部を先頭にして、ステップ状に設けられている他の開口部（右下方向の斜めに設けられている開口部）には、スペーサが存在するサブ画素Ｒがある。
【０１３２】
一方で、視差バリア１２の開口部７−１から、サブ画素７−１のサブ画素Ｒが見え、開口部８−１からサブ画素８−１のサブ画素Ｇが見え、開口部９−１からサブ画素９−１のサブ画素Ｂが見えている。この開口部においては、サブ画素７−１のサブ画素Ｒにスペーサは存在しない。またこの開口部を先頭にして、ステップ状に設けられている他の開口部にも、スペーサが存在するサブ画素Ｒはない。
【０１３３】
このように、斜め方向に設けられている開口部内の所定の色に、スペーサが設けられている開口部と、スペーサが設けられていない開口部とが存在する。上記したように、スペーサがあるサブ画素とスペーサがないサブ画素とでは光学特性が異なるため、この場合、開口部毎に光学特性が異なることになる。
【０１３４】
このような場合、Ｘ軸方向に近接する斜め方向に配置された開口部内のサブ画素の光学特性が異なると、斜めのスジが浮き出て、表示品質が低下してしまう可能性がある。
【０１３５】
［光学特性が劣化しない第５の視差バリア（スペーサの配置）について］
そこで、図１５Ｂと同じ視差バリア１２が用いられたときに、光学特性が劣化しないスペーサの配置（形状）について説明する。
【０１３６】
図１６は、ステップ形状の視差バリア１２が用いられた場合において、１視点に画像を供給する画素（サブ画素）におけるスペーサの配置などについて説明するための図である。図１６Ａに示したサブ画素の配置は、図１５Ａに示したサブ画素の配置と同様であるが、スペーサの位置が異なる。スペーサは、サブ画素１−１、サブ画素４−３、サブ画素１０−４、サブ画素７−５、サブ画素１３−６のそれぞれのサブ画素Ｒのそれぞれのサブ画素内の上側に設けられている。また、サブ画素１−７のサブ画素Ｒの下側にもスペーサが設けられている。
【０１３７】
このようなスペーサとサブ画素が配置されている表示部１１に対して、図１６Ｂに示した視差バリア１２が設けられると、図１６Ｃに示すようなサブ画素からの光が、観測者に提供されることになる。図１６Ｂに示した視差バリア１２は、図１５Ｂに示した視差バリア１２と同一の形状である。
【０１３８】
図１６Ｃを参照するに、視差バリア１２の開口部１−１から、サブ画素１−１のサブ画素Ｒが見え、開口部２−１からサブ画素２−１のサブ画素Ｇが見え、開口部３−１からサブ画素３−１のサブ画素Ｂが見えている。この開口部においては、サブ画素１−１のサブ画素Ｒにスペーサが存在する。この開口部を先頭にして、ステップ状に設けられている他の開口部（右下方向の斜めに設けられている開口部）にも、スペーサが存在するサブ画素Ｒがある。
【０１３９】
同様に視差バリア１２の開口部７−１から、サブ画素７−１のサブ画素Ｒが見え、開口部８−１からサブ画素８−１のサブ画素Ｇが見え、開口部９−１から、サブ画素９−１のサブ画素Ｂが見えている。この開口部においては、サブ画素７−１のサブ画素Ｒにスペーサは存在しないが、この開口部を先頭にして、ステップ状に設けられている他の開口部、例えば、開口部１０−４の位置に位置するサブ画素１０−４のサブ画素Ｒには、スペーサが存在する。
【０１４０】
このように、斜め方向に連続的に設けられている開口部（例えば、スリットと記述する）内に含まれる少なくとも１つのサブ画素には、スペーサが設けられている状態となる。換言すれば、全てのスリット内に、必ずスペーサがあるサブ画素が存在するように、スペーサが配置されている。よって、全てのスリット内の光学特性を同一とすることが可能となる。
【０１４１】
図１６に示した例では、図１５を参照して説明したような、Ｘ軸方向に近接する斜め方向に配置された開口部内のサブ画素の光学特性が異なると、斜めのスジが浮き出て、表示品質が低下してしまうといったことを防ぐことが可能となる。
【０１４２】
換言すれば、図１６Ａに示したように、異なる光学特性を有する画素が配置されている表示部１１と、その表示部１１の表示面側に対向配置され、表示部１１からの光線を所定の方向へ通過させる図１６Ｂに示したような視差バリア１２の開口部があったときに、図１６Ｃに示すように、表示部１１の異なる光学特性の画素であり、同色の画素、例えば、サブ画素１−１のサブ画素Ｒとサブ画素４−２のサブ画素Ｒが、開口部１―１乃至開口部３−１を先頭としてステップ状に配置された縦方向の開口部（スリット）内で混在するように表示装置１０は構成されている。
【０１４３】
また、表示装置１０は、異なるスリット、例えば開口部１―１乃至開口部３−１を先頭としてステップ状に配置された縦方向のスリットと、そのスリットとは異なる開口部７―１乃至開口部９−１を先頭としてステップ状に配置された縦方向のスリット内にも、それぞれ、サブ画素１−１のサブ画素Ｒと、サブ画素７−１のサブ画素Ｒといった異なる光学特性を有するサブ画素や、サブ画素１−１のサブ画素Ｒと、サブ画素９−４のサブ画素Ｒといった同一の光学特性を有するサブ画素が、それぞれのスリット内で均等に配置されるように表示装置１０は構成されている。
【０１４４】
［光学特性が劣化しない第６の視差バリア（スペーサの配置）について］
さらにスペーサがあるサブ画素と、スペーサがないサブ画素の光学特性の違いを考慮した視差バリア１２について説明を加える。図１７は、デュアルドメイン構造を有する表示部１１に、直線形状の開口部を有する視差バリア１２を装着したときの光学特性について説明するための図である。
【０１４５】
図１７Ａに示した表示部１１のサブ画素の配置は、図１１Ａに示したサブ画素の配置と同様である。図１７Ａでは、図１１Ａに示していなかったスペーサを図示してある。スペーサは、サブ画素１−１，サブ画素９−１、サブ画素６−２、サブ画素１４−２、サブ画素３−３、サブ画素１１−３、サブ画素８−４、サブ画素５−５、サブ画素１３−５、サブ画素２−６、およびサブ画素１０−６に位置するサブ画素Ｒに、それぞれスペーサがある。また、スペーサは、各サブ画素の上側に配置されている。
【０１４６】
図１７Ａに示した表示部１１には、異なる光学特性を有する４種類のサブ画素が存在する。まず、例えば、サブ画素１−１の画素Ｒのように、右上側に傾き、スペーサがあることにより、光学特性１を有するサブ画素がある。また、サブ画素６−２の画素Ｒのように、左上側に傾き、スペーサがあることにより、光学特性２を有するサブ画素がある。
【０１４７】
また、サブ画素１−５の画素Ｒのように、右上側に傾き、スペーサがないことにより、光学特性３を有するサブ画素がある。そして、サブ画素２−２の画素Ｒのように、左上側に傾き、スペーサがないことにより、光学特性４を有するサブ画素がある。
【０１４８】
このように、スペーサを赤色のサブ画素Ｒに設けた場合、赤色のサブ画素Ｒに注目した場合、光学特性１乃至４の４種類の光学特性が、表示部１１内に存在することになる。また、赤色のサブ画素Ｒ以外の、例えば、緑色のサブ画素Ｇは、右上側に傾き、スペーサがないことにより光学特性３を有するサブ画素と、左上側に傾き、スペーサがないことにより光学特性４を有するサブ画素とがある。
【０１４９】
このように、異なる光学特性がある場合には、視差バリア１２の各開口部には、同じ光学特性を有するサブ画素が配置されるようにするのが好ましい。例えば、図１７Ｂを参照するに、サブ画素１−１を先頭とする縦方向の開口部には、光学特性１を有するサブ画素Ｒが含まれ、光学特性３を有するサブ画素Ｒ，Ｂが含まれ、光学特性４を有するサブ画素Ｇ，Ｗを含む。
【０１５０】
サブ画素５−１を先頭とする縦方向の開口部にも、光学特性１を有するサブ画素Ｒが含まれ、光学特性３を有するサブ画素Ｒ，Ｂが含まれ、光学特性４を有するサブ画素Ｇ，Ｗが含まれている。さらに、サブ画素９−１を先頭とする縦方向の開口部は、サブ画素１−１を先頭とする縦方向の開口部と同じサブ画素の配置となっている。また、サブ画素１３−１を先頭とする縦方向の開口部は、サブ画素５−１を先頭とする縦方向の開口部と同じサブ画素の配置となっている。
【０１５１】
すなわち、図１７Ｂに示した例では、全ての開口部には、同一の光学特性を有するサブ画素が含まれるように、サブ画素は配置されている。このように、各開口部（スリット）の光学特性が同じとなることで、全体として光学特性が劣化するようなことを防ぐことが可能となる。よって、このように、各開口部（スリット）の光学特性が同じとなるように、視差バリア１２の開口部をデザインする（視差数を調整する）。または、各開口部の光学特性が同じとなるように、サブ画素を配置し、スペーサが配置される。
【０１５２】
上記してきたように、表示部１１のサブ画素の配置、スペーサの配置が、視差バリア１２の開口部に適した配置とすることで、光学特性の劣化を防ぐことが可能となる。また、視差バリア１２の開口部を、表示部１１のサブ画素の配置やスペーサの配置に適した配置とすることで、光学特性の劣化を防ぐことが可能となる。
【０１５３】
［表示装置の適用について］
上記した表示装置１０は、フラットパネル形状を有し、様々な電子機器、例えば、デジタルカメラ、ノート型パーソナルコンピュータ、携帯電話、ビデオカメラなどに適用可能である。電子機器に入力された、若しくは、電子機器内で生成した駆動信号を画像若しくは映像として表示するあらゆる分野の電子機器のディスプレイに適用することが可能である。以下このような表示装置が適用された電子機器の例を示す。電子機器は基本的に情報を処理する本体と、本体に入力する情報若しくは本体から出力された情報を表示する表示器とを含む。
【０１５４】
図１８は本技術が適用されたテレビジョン受像機であり、フロントパネル１１２、フィルターガラス１１３等から構成される映像表示画面１１１を含み、本技術の表示装置１０を、その映像表示画面１１１に用いることにより製造される。表示装置１０で構成される映像表示画面１１１により、例えば、３Ｄ画像がユーザに提供される。
【０１５５】
また本技術は、ノート型パーソナルコンピュータにも適用できる。ノート型パーソナルコンピュータの本体には、文字等を入力するとき操作されるキーボードが含まれ、本体カバーには画像を表示する表示部が含まれ、本技術の表示装置１０を、その表示部に用いることによりノート型パーソナルコンピュータは製造される。表示装置１０で構成される表示部により、例えば、３Ｄ画像がユーザに提供される。
【０１５６】
また本技術は、携帯端末装置にも適用できる。携帯端末装置は、上側筐体、下側筐体、連結部（例えば、ヒンジ部）、ディスプレイ、サブディスプレイ、ピクチャーライト、カメラ等を含む。本技術の表示装置１０を、そのディスプレイやサブディスプレイに用いることにより携帯端末装置は製造される。表示装置１０で構成されるディスプレイやサブディスプレイにより、例えば、３Ｄ画像がユーザに提供される。
【０１５７】
また本技術は、ビデオカメラに適用できる。ビデオカメラは、本体部、前方を向いた側面に被写体撮影用のレンズ、撮影時のスタート／ストップスイッチ、モニター等を含み、本技術の表示装置１０を、そのモニターに用いることにより製造される。表示装置１０で構成されるモニターにより、例えば、３Ｄ画像がユーザに提供される。
【０１５８】
上記した実施の形態においては、表示装置１０を例に挙げて説明した。しかしながら、本技術は、表示装置１０などの表示装置に適用が限定されることを意味するわけではない。例えば、本技術は、有機ＥＬなどの他の表示装置にも適用できる。また、視野角を異ならせる画面が見えるマルチ画面表示ディスプレイなどにも本技術を適用することができる。
【０１５９】
なお、本技術の実施の形態は、上述した実施の形態に限定されるものではなく、本技術の要旨を逸脱しない範囲において種々の変更が可能である。
【０１６０】
なお、本技術は以下のような構成も取ることができる。
【０１６１】
（１）
異なる光学特性を有する画素が配置されている表示部と、
前記表示部の表示面側に対向配置され、前記表示部からの光線を所定の方向へ通過させる開口部と
を備え、
前記表示部の異なる光学特性の画素であり、同色の画素が前記開口部に位置する
表示装置。
（２）
前記表示部の画素は、ディアルドメイン構造で配置され、
対をなす異なる光学特性の同色の画素が、前記開口部に位置する
前記（１）に記載の表示装置。
（３）
異なる光学特性を有する画素が配置されている表示部と、
前記表示部の表示面側に対向配置され、前記表示部からの光線を所定の方向へ通過させる開口部と
を備え、
所定の視点に供給される視差画像が、前記表示部の同一の光学特性の画素から構成されるような位置に前記開口部が設けられている
表示装置。
（４）
異なる光学特性を有する画素が配置されている表示部と、
前記表示部の表示面側に対向配置され、前記表示部からの光線を所定の方向へ通過させる開口部と
を備え、
前記表示部の異なる光学特性の画素であり、同色の画素が、前記開口部内で混在する
表示装置。
（５）
異なる光学特性を有する画素が配置されている表示部と、
前記表示部の表示面側に対向配置され、前記表示部からの光線を所定の方向へ通過させる開口部と
を備え、
前記表示部の異なる光学特性の画素であり、同色の画素が、前記開口部毎に均等に含まれる
表示装置。
（６）
前記光学特性は、スペーサが存在するか否かに依存する
前記（５）に記載の表示装置。
【符号の説明】
【０１６２】
１０  表示装置，  １１  表示部，  １２  視差バリア
【図１】
0005806150.tif 000002
【図２】
0005806150.tif 000003
【図３】
0005806150.tif 000004
【図４】
0005806150.tif 000005
【図５】
0005806150.tif 000006
【図６】
0005806150.tif 000007
【図７】
0005806150.tif 000008
【図８】
0005806150.tif 000009
【図９】
0005806150.tif 000010
【図１０】
0005806150.tif 000011
【図１１】
0005806150.tif 000012
【図１２】
0005806150.tif 000013
【図１３】
0005806150.tif 000014
【図１４】
0005806150.tif 000015
【図１５】
0005806150.tif 000016
【図１６】
0005806150.tif 000017
【図１７】
0005806150.tif 000018
【図１８】
0005806150.tif 000019